【手続補正書】
【提出日】平成15年6月24日(2003.6.24)
【手続補正１】
【補正対象書類名】明細書
【補正対象項目名】全文
【補正方法】変更
【補正の内容】
【書類名】明細書
【発明の名称】核医学撮像装置のデータ低減アーキテクチャ
【特許請求の範囲】
【請求項１】少なくとも１つの放射能源と、
核崩壊事象に起因したガンマ線放射を検出するための固体検出器アレイと、
上記検出器アレイからの核崩壊事象情報をそれぞれ処理する電子機器のアレイと、
人間可読なフォーマットへと上記核崩壊事象情報を処理する再構成プロセッサとを含む、核医学撮像装置。
【請求項２】検出器アレイのそれぞれは、マルチチャンネルのテルル化カドミウム亜鉛アレイである、請求項１記載の核医学撮像装置。
【請求項３】一次元にガンマ線を平行化するための互いに平行に配置された放射線を通さないプレートを更に含む、請求項１又は２記載の核医学撮像装置。
【請求項４】処理のために各検出器アレイの検出信号を秩序付ける第１レベルの調停システムのアレイと、
第１レベルの調停システムのアレイからの検出信号を秩序付ける第１レベルの調停システムのアレイと更に含む、請求項１乃至３の何れかに記載の核医学撮像装置。
【請求項５】上記第１レベルの調停システムは、検出器アレイのアレイの部分を監視し、そこから検出した信号に優先度を割り当てる、請求項４記載の核医学撮像装置。
【請求項６】上記第２レベルの調停システムは、上記第１レベルの調停システムによって優先度付けされた分析データを収集し、該データを事象アーカイブに受け渡す、請求項５記載の核医学撮像装置。
【請求項７】回路ボードに配置された電子機器を更に含み、該電子機器は、相互に並列に、上記検出器アレイの近傍に、且つ、上記検出器アレイに垂直に、配置された、請求項１乃至６の何れかに記載の核医学撮像装置。
【請求項８】上記電子機器は、事象情報を決定する複数の事象分析器を含んでおり、該事象情報は、
受信した事象の論理的な真理と、
上記事象の受信時の個々の検出器の位置と、
受信した事象のエネルギとを含む、請求項１乃至７の何れかに記載の核医学撮像装置。
【請求項９】上記事象情報を受信及び記憶する事象アーカイブを更に含む、請求項８記載の核医学撮像装置。
【請求項１０】上記検出器アレイは、一の専用の信号処理回路を有する検出器の集合に区分され、各信号処理回路は、互いに並列であり、相互から時間的に独立している、請求項１乃至９の何れかに記載の核医学撮像装置。
【請求項１１】信号により調停論理回路をトリガした検出器チャンネルを表現するアドレスをエンコードするアドレスエンコーダと、
出力ポートに上記信号を送るアナログマルチプレクサと、
上記信号が処理のために選択されたことを次の回路に指示する合成トリガ信号を供給する合成信号発生器と、
上記調停論理回路が準備状態に復帰するまで次の信号を遮断する遮断回路と、
トークン信号を受信しデータ収集バスが上記データを収集するようになるまで、上記データを記憶する複数の一時メモリとを更に含む、請求項１乃至１０の何れかに記載の核医学撮像装置。
【請求項１２】核崩壊事象の示す対象からのガンマ線放射を検出するステップと、
検出したガンマ線が認識される秩序を調停する調停ステップと、
検出したガンマ線を上記対象の画像表現へと再構成するステップとを含む、核医学撮像方法。
【請求項１３】上記調停ステップは、第１レベルの調停と第２レベルの調停とを含む、請求項１２記載の核医学撮像方法。
【請求項１４】上記第１レベルの調停は、信号により調停論理回路をトリガした検出器チャンネルを表現するアドレスをエンコードし、
アナログマルチプレクサが出力ポートに信号を送信することを可能とし、
上記信号が処理のために選択されたことを次の回路に指示する合成トリガ信号を供給し、
上記論理回路が準備状態に復帰するまで次の信号を遮断することを含む、請求項１３記載の核医学撮像方法。
【請求項１５】上記第２レベルの調停は、一時メモリ内に、該メモリがトークン信号を受信しデータ収集バスが上記データを収集するようになるまで、上記データを記憶する、請求項１４記載の核医学撮像方法。
【請求項１６】光刺激に応じた信号を生成する複数の信号発生器と、
上記信号発生器の集合を監視し選択的にその大きさを測定すると共に、上記信号にアドレスを割り当てる第１の信号プロセッサと、
生成した信号の上記大きさ及び上記アドレスを、データ収集バスにより事象アーカイブに転送されるまで、記憶する一時メモリと、
上記一時メモリが上記大きさ及び記憶した情報のアドレスを上記データ収集バスに通すことを可能にするトークンとを含む、論理回路調停器。
【請求項１７】上記第１の信号プロセッサと並列の複数の他の信号プロセッサを更に含み、信号プロセッサのそれぞれは、他の信号プロセッサから独立している、請求項１６記載の論理回路調停器。
【請求項１８】入射放射線をそれぞれ検出し、受信した放射線に応じた信号をそれぞれ出力する検出器のアレイであって、検出器の複数の集合に区分される検出器アレイと、
複数の信号処理回路であって、各検出器集合が、各出力信号が処理されるように、対応する専用の信号処理回路の集合に接続されている、複数の信号処理回路と、
請求項１６又は１７記載の論理回路調停器と、
データ収集バスからの出力信号を画像表現に再構成する再構成プロセッサとを含む、核医学カメラ。
【請求項１９】上記検出器のアレイは、テルル化カドミウム亜鉛固体アレイを含む、請求項１８記載の核医学カメラ。
【発明の詳細な説明】
【０００１】
［発明の背景］
本発明は、核分野に関する。本発明は、ＳＰＥＣＴカメラで使用される電子に関連して特別な適用が見出され、特にそれを参照して説明される。しかし、本発明はＰＥＴカメラや他の核カメラ等に適用を見出されてよく、上述の用途に特に限定されない。
【０００２】
核医学撮像は、対象の解剖学的組織を画像化するために放射能源を用いる。典型的には、放射性医薬品が患者に注入される。この放射性医薬品は、予測可能な率で崩壊する原子を含む。原子が崩壊するたびに、ガンマ線が放出される。これらのガンマ線は、検出され、それらの検出位置及びエネルギのような情報から、対象の内部の表現が再構成される。
【０００３】
典型的には、核カメラは、１，２若しくはそれ以上の検出器ヘッドを有する。各ヘッドは、ドープされたヨウ化ナトリウムのような、大型のシンチレータシートを有し、入射放射線をシンチレーション、即ち光のフラッシュに変換する。光電子倍増管のアレイは、光フラッシュを監視するためシンチレータの裏側に配置される。光電子倍増管及び関連する回路の出力は、ヨウ化ナトリウム結晶上の各シンチレーションの座標及びそのエネルギを指示する。残念ながら、大型のシンチレータ結晶及び光電子倍増管のアレイを用いたときには、不均一性及び誤差が顕著に生ずる。
【０００４】
この種の検出器は、一度に一の核事象しか処理することができない。時間的にあまりに密な検出器へのガンマ線入射は、典型的には破棄され、即ち無視される。リセット時間は、部分的に結晶のアフターグローによって、それより少ない程度で電子の処理時間によって、決定される。
【０００５】
単一の大型のシンチレータ及び光電子倍増管を使用することに代わって、小型のシンチレータのアレイを用いることが提案されており、かかる場合、核シンチレータは、それぞれ個々のシンチレータ結晶内のシンチレーションを検出するそれぞれ対応する光ダイオードや他の光電デバイスに、任意的に結合している。他の種の個体の固体検出器も提案されている。これらの放射線−光−光検出システムは、同様に、結晶のアフターグローによってスピードが制限される。更に、シンチレータのエネルギ−光変換効率は、検出器の大きさひいては分解能を制限することになる。
【０００６】
本発明は、上述の問題点等を克服する新規で改善された方法及び装置を提供する。
【０００７】
［発明の概要］
本発明の一局面によれば、核医学撮像装置が付与される。放射能源は、固体検出器アレイに当たるガンマ線を放出する。電子機器のアレイは、検出器アレイからの核崩壊事象情報を処理し、再構成プロセッサは、それらを人間可読のフォーマットに変換する。
【０００８】
本発明の他の局面によれば、核医学撮像方法が付与される。信号を生成するガンマ線が、検出され、調停される。次いで、信号は、画像表現へと再構成される。
【０００９】
本発明の他の局面によれば、論理回路調停器が付与される。信号発生器は、信号プロセッサにより選択的に処理され、ラベル付けされ、且つ、データ収集バスに対して待機するところの一時メモリに送信される、信号を生成する。トークンは、信号が一時メモリからデータ収集バスに受け渡しされることを可能とする。
【００１０】
本発明の効果の１つは、システムの実効的な事象処理時間を低減することである。
【００１１】
その他の効果は、入射放射線の直接的な検出にある。
【００１２】
その他の効果は、そのコンパクトな大きさにある。
【００１３】
その他の効果は、放射線事象の並行検出を達成することである。
【００１４】
更にその他の効果は、良好な空間分解能が達成されることである。
【００１５】
本発明の更なる利点及び効果は、好ましい実施例の読みそして理解することで当業者にとって明らかとなるだろう。
【００１６】
本発明は、多様な構成要素及び構成要素の配列、多様なステップ及びステップの配列を採用してよい。図面は、好ましい実施例を例示するためのみのものであり、本発明を限定するものでない。
【００１７】
［好ましい実施例の詳細な説明］
図１を参照するに、対象１０の関心領域が画像化領域１２を定める。放出トモグラフィの実施例では、放射性医薬品のような放射性アイソトープ１４が、画像化される領域近傍で患者に注入される。例えば、医師が大動脈の閉塞を見たい場合、アイソトープは、当該閉塞より上流の血流に注入される。放射性アイソトープは、循環系を画像化するため、血液によって搬送される際に監視される。その他の例として、関心のある腫瘍若しくは他の組織によって好ましくは吸収される放射性医薬品が、循環系に注入される。放射性医薬品は、関心のある組織を画像化するために当該関心のある組織による吸収後に監視される。
【００１８】
量子物理学が予測するように、放射性アイソトープの原子核は経時的に崩壊していく。エネルギが、崩壊時に光子の形態で放出され、より具体的には特有なエネルギのガンマ線が放出される。
【００１９】
放出画像化処理中に生成されるガンマ線の大部分は、無用な方向に伝播しつつ失われる。しかし、ガンマ線のある部分は、好ましい実施例では薄いタングステンベーンであるコリメータ１６を通過し、検出器アレイ１８に当たる。好ましい実施例では、図２を参照するに、検出器アレイ１８は、４×８の別個の検出器２２をそれぞれ有するテルル化カドミウム亜鉛（ＣＺＴ）結晶アレイ２０の、４×２４のアレイを含む。
【００２０】
送信トモグラフィに対しては、放射線源２４は、検出器ヘッドから対象を横断して配置される。好ましくは、放射線源は、注入された放射性医薬品とは異なる特性のエネルギを有する放射性アイソトープである。
【００２１】
好ましい実施例では、検出器アレイ１８及びコリメータ１６は、検出器アレイを移動させる機械式駆動装置３０上に搭載される。アレイは、好ましくは、水平方向の回転成分で移動するが、検出器ヘッドの範囲内において種々の軌跡が実現される。或いは、検出器アレイは、検出器ヘッド内に据え置き式で搭載される。トモグラフィのアプリケーションでは、検出器ヘッドは、関心領域周辺に割送りされる。
【００２２】
好ましい実施例では、検出器ヘッドが、対象１０の周囲を完全に囲繞する回転自在のガントリー３２に搭載される。モータ制御装置３４は、場合によっては、回転自在のガントリー３２の範囲内での検出器アレイ１８の動きの範囲を選択し、また、画像化領域まわりの段階的若しくは連続的なガントリー３２の回転を選択する。
【００２３】
ＳＰＥＣＴ撮像において、コリメータ１６は、上述の経路若しくは軌跡に追従する放射までの検出器アレイ１８へのアクセスを制限し、例えば、平行なベーンコリメータは、検出器アレイ１８の平面に垂直なスライスで軌跡を定義する。このようにして、各放射線事象は、放射性アイソトープの崩壊が沿う軌跡を定める。回転自在のガントリー３２が固定されたままである場合、検出器は、関心領域内の放射性アイソトープ分布の投影画像を画成する。
【００２４】
事象分析器４２のアレイは、各事象が検出器アレイの各集合に当たる位置、即ち集合内の検出器がそれを受信する位置、及び、放射線事象のエネルギ量を導出する。検出器アレイの各固定位置にて収集された放射線事象は、アーカイブ４４に記憶される。回転自在のガントリー３２が対象のまわりで異なる角度位置まで回転したとき、各異なる角度方向からの複数の投影画像が収集される。再構成プロセッサ４６は、アーカイブメモリ４４からのデータを、３次元画像メモリ４８への記憶のための３次元画像表現へと逆投影（バックプロジェクト）若しくは再構成する。ビデオプロセッサ５０は、操作者の制御下で、３次元画像表現の部分を選択的に抽出し、それらを、ビデオ若しくは他の読取り可能なモニタ５２上での表示のために適切な形式へと変換する。
【００２５】
図１及び図２への参照を継続しつつ、図３を参照するに、受信したガンマ線は検出され、そのエネルギが検出器アレイ１８に取り付けられた電子機器により測定される。ＣＺＴを用いた好ましい実施例では、−６００Ｖの電位差が検出器アレイに印加される。Ｐ−ＡＳＩＣＳや他の低ノイズの事前増幅器回路は、検出したガンマ線から生まれる検出器アレイ１８からの電流パルスを処理及び造形する。４個のＰ−ＡＳＩＣＳは、回路基板の各面に搭載されるか、若しくは４個の検出器アレイを支持する対の裏面合わせの回路基板の各面に搭載される。
【００２６】
ＣＺＴ結晶は、シンチレーションよりも伝播電子に依存して事象の検出を指示する。高い電位は、検出器アレイにおいて略均一な電場を発生させる。この電場は、ＣＺＴにおいてもともと見出される電子の結合を緩ませる。ガンマ線が検出器に当たるとき、ガンマ線はこれらの電子の多数を局部の原子との結合から解放し、これら電子は電場に捉えられ、検出器の他方の側まで伝播される。なお、好ましい実施例の検出器は、電荷の伝搬に依存して放射線事象を認識する個体検出器であることを注記する。
【００２７】
ガンマ線が検出器の１つに当たる毎に、出力電気的パルスを生成する電子を解放する。電圧調整器６６を電源とする関連する電子構成要素６４は、各パルスを増幅し、パルスを広げ、パルス下の領域を測定し、当該領域を出力に変換し、若しくは、受信した放射データを処理する。マルチプレクサ６８は、結果として得られた信号を、遠隔位置に搭載された事象分析器４２の部分への一連の出力へと多重化する。
【００２８】
アレイ１８によって検出される電気的信号は、秩序付け及び処理される。好ましい実施例のデータ取得構造では、３０７２個の個別の検出器２２から単一の出力ポートまで信号を非常に高い事象速度で通過させるために、２つのレベルの調停及びデータ低減が行われる。第１に、３０７２個の個別の検出器からのアナログ信号は、好ましい実施例では６４個の信号の４８個の独立した集合である、より管理しやすい集合に収集される。６４個の信号の各集合内において、調停の第１レベルは、関心のある信号を選択し、当該信号のアドレスのデジタル表現と共に、当該信号のための出力チャンネルを供給する。独立した信号の数が、検出器アレイ１８の大きさに依存して、より少なくても多くてもよいことは理解されるべきである。
【００２９】
第１レベルの調停は、６４個の独立した信号コンパレータを含み、各信号コンパレータは、対応するアナログ信号出力が可変の閾値電圧を上回ったときにデジタルの出力トリガ信号を供給する。調停論理回路に到達する第１のデジタル信号は、論理回路が準備状態にあるとき、調停コンテクストを獲得する。論理回路は、次いで、当該デジタル信号のチャンネル数を表現する６ビットのアドレスをエンコードし、アナログマルチプレクサ６８が選択されたアナログ信号を出力ポートに送出することを可能とし、アナログ信号が処理のために選択されたことを次の回路に指示する合成トリガ信号を供給し、次の回路が信号からエネルギ情報を抽出し終わるまで事象を更にトリガすることを阻止する。論理回路設計のこの性質は、個々のパルスが処理されている間に他の検出器からの放射線事象が調停集合内に追加されることを防止する（従って、追加の放射線事象によって麻痺されない）。
【００３０】
第１レベルの調停論理回路は、エネルギ情報（パルスのピーク値）が導出されたことを指示する次の回路からの信号によって、準備状態に復帰する（リセットされる）。このとき、元のアナログ信号の残りの部分は、無視され、調停論理回路は、新たなトリガ入力を容認することを指示する準備状態に復帰する。
【００３１】
第１レベルの調停論理回路は、信号がそのピークに到達する前にアナログマルチプレクサを通してアナログ信号を供給するほど十分高速に動作する（数１００ナノ秒）。また、論理回路は、如何なる予想される追加のトリガ入力が膨大な調停アドレスを生成するのを阻止するほど十分高速に動作する（数１０ナノ秒）。
【００３２】
図４を参照するに、好ましい実施例での多様なデジタルトリガ信号７０，６４が、フリップフロップ７４のクロック入力７２をそれぞれ駆動する。論理回路が現に準備状態である場合、クロック入力７２での遷移を検出するフリップフロップ７４は、出力ビット７６に真（ｔｒｕｅ）をセットする。ブール“ＯＲ”を実行する論理回路は、入力フリップフロップのいずれかがセットされたとき合成トリガ信号８０を生成する。すべての入力フリップフロップ７４が、エネルギ情報（パルスのピーク）が導出されたことを指示する次の外部の回路からの実行信号８２によってリセットされるまで、この合成トリガ信号８０は、真のままである。従って、合成トリガ信号８０は、論理回路が更なる入力を受けるための準備状態にないことを指示し、それ故、すべてのフリップフロップに反転された条件までフィードバックされてよく、フリップフロップのいずれもが追加の個々のトリガ入力によって真にセットされることを阻止する。
【００３３】
図４を参照しつつ、図５を参照するに、出力ビット信号７６のいずれかが真にセットされたとき、特有のアドレスが、どの多重トリガ入力７０が調停を獲得するかを表現するために、生成される。この動作は、好ましくは、出力ビットがその状態に依存してチャンネル数のバイナリ表現でセットされる、簡易なバイナリデコーダー８４により実行される。信号入力７６に特有のアドレスを提供するあらゆる符号化が使用されてもよい。このデコーダー論理回路は、第１レベルの出力ポート９０に選択したアナログ信号を通すため、アナログマルチプレクサ６８に許可信号を供給する。
【００３４】
合成トリガ信号８０が入力フリップフロップ７４にフィードバック可能となる前に、一以上のトリガ入力７０がアクティブとなる事象においては、すべてが無視される。任意的には、より複雑な調停論理回路の具現が、それらのトリガ時間を見出すために６４個の入力７０を診断し、それらの中から選択的に１つを選び、残りを拒否する。
【００３５】
第１レベルの調停論理回路は、“ループを閉じる”ための追加の回路を有し、リセット信号８２を供給する。これは、正常な調停に後続するパルスのピーク値を決定及び通知する回路である。このタスクを実行する回路は、ダイオードを用いるアナログピーク検出器や標本化／保持増幅器のように、いくつかの異なる態様で具現化されてよい。好ましい実施例の方法は、通知されるピーク値の分解能を改善するために信号ピークの発生及びピーク周辺の信号の平均（合計）サンプルを検出する追加の制御論理回路を、備えた比較的高い標本化速度（２０ＭＨＺ）の自走型ＡＤＣを用いる。ピーク値の決定及び記憶に続いて、制御論理回路は、リセット信号８２により元の調停論理回路を解放する。
【００３６】
図６を参照するに、ピーク検出のための信号処理論理回路は、アナログパルスを標本化（標本化周期＜パルス持続時間／２０）するとともにＡＤＣデータストリーム９２で観測される最大値近傍の４つの標本を合計（平均化）することによって、比較的低コストで低分解能（１０ビット）のＡＤ変換器から高い精度の結果（１２ビット分解能）を得ることができる。簡易な大きさ比較器（コンパレータ）９４は、信号の上昇が停止したときを指示し、また、デジタル記憶パイプラインによって、検出されたピーク標本に先行する２つの標本及び後続する２つの標本が、デジタル累算器に付加される。４つの１０ビット信号の合計は、１２ビットの出力信号を提供する。
【００３７】
ピーク検出器パイプライン及び累算器の動作は、単調増加する立ち上がり、ピーク値、及びピーク値に後続する単調減少する値を観測するような、トリガに後続する事象の自然な推移に応答する論理的なステートマシーンによって制御される。この同一のステートマシーンコントローラは、通知されるエネルギ値を不正確にするだろう、電気的な“ひげ状のパルス（グリッチ）”若しくは放射が誘起する“パイルアップ”事象のような、信号挙動の自然な推移に追従しない状態を捕捉（トラップ）し及びそれから抜け出すようプログラムされる。
【００３８】
第１レベルの調停論理回路は、多くの個別のセンサ２２が共通の出力ポートへのアクセスを得ることを要求する。これは、必然的に、センサ毎に出力ポートを用いて達成可能なバンド幅以下に、データ取得システムの可能なバンド幅を低減する。しかしながら、コスト対性能／複雑性でのトレードオフが数千のセンサを備えたシステムにおいて有利である。上述のような非麻痺システムにおいて、事象の２０％が処理チャンネルの使用不能に起因して損失する地点が、システムスループットの対するメリットの一般的数値である。即ち、Ｒｏｕｔ＝Ｒｉｎ／（１＋Ｒｉｎ×ＤＴ）＝０．８×Ｒｉｎである。ここで、ＤＴは処理されるべき事象に関連する不動（停止）時間である。ＤＴが２μｓの場合、２０％の損失率が、入力速度Ｒｉｎ＝１２５，００事象／ｓｅｃ及び出力速度Ｒｏｕｔ＝１００，００事象／ｓｅｃの場合に発生する。他方、検出システムが各センサを個別に処理する場合、達成可能なスループット速度は、センサの数が乗される。６４：１の調停が無い場合、これは、６．４×１０６事象／ｓｅｃに相当するだろう。
【００３９】
システムの全体のスループットは、これらの第１レベルのアービター（調停器）を多数有することによって維持される。３０７２個のセンサを備えたシステムの場合、４８個の第１レベルのアービター、各チャンネル、一のピーク検出器に対して６４個のセンサとなる。従って、システムに対して、２０％の損失点は、Ｒｉｎ（ｓｙｓｔｅｍ）＝４８×１２５，０００事象／ｓｅｃ＝６．０×１０６事象／ｓｅｃ、及びＲｏｕｔ（ｓｙｓｔｅｍ）＝４８×１００，０００事象／ｓｅｃ＝４．８×１０６事象／ｓｅｃで発生する。
【００４０】
上述の実施例のデータ取得処理は、６４個の予想されるデータ源をそれぞれ選択すると共にこれらの源のそれぞれのデジタル測定値を生成する４８個の独立したアービターを有する。第２レベルの調停は、事象アーカイブ４４内への最終的な記憶のために、これらの測定値の単一の出力ポートへのアクセスを提供する。
【００４１】
第２レベルの調停において、個々のピーク検出器からのデータは、第２レベルの出力ポート１０２へのアクセスを待ち受けするため、メモリに記憶される。各ピーク検出器は、当該ピーク検出器への第１レベルの調停を獲得したセンサピクセルのアドレスと共にエネルギ測定値を供給する。第２レベルの調停における一時メモリでは、どのピーク検出器がデータを供給したかを指示する追加のアドレスビットも記憶される。
【００４２】
ピーク検出器及び一時メモリは、好ましくは、多数のピーク検出器が共通のメモリへのアクセスを調停するように組織化される。個別の一時メモリブロック毎のピーク検出器の数は、システムコスト及び複雑度の制約に基づいて変化してもよい。各一時メモリは、外部データ収集バスに、それの寄与するピーク検出器の少なくとも１つからの受信データを有していることを指示する“データ準備”フラグ信号をアサートするよう設計されている。一時メモリの１つからのデータが外部データ収集バスに置かれる前に、どの一時メモリがデータを供給したかを示す追加のアドレスビットが記憶される。
【００４３】
個々の一時メモリからの出力ポートのための調停は、トークンリングスキーム１０４によって制御される。この場合では、“トークン”信号は、一のメモリから次のメモリへとループ形式で受け渡される。受信するメモリに“データ準備”フラグがセットされている場合、当該メモリは、次の利用可能なアドレスからのデータを出力データ収集バスに置き、バスに“データ有効”ストローブをアサートし、次いで、ループ内で次のメモリにトークンを受け渡す（信号を供給する）ことを許される。受信するメモリに“データ準備”フラグがセットされていない場合、当該メモリは、バスに如何なるデータや“データ有効”ストローブを置くことなく、トークンを単に次のメモリに受け渡す。
【００４４】
本発明の代替実施例が、ループ内により多い若しくはより少ないアービターを含むように容易に拡大縮小できることも、理解されるべきである。
【００４５】
図７を参照するに、簡易なトークンリングスキームが付与されている。本例では、一のトークンが３つの大きさ比較器９４間で受け渡しされている。比較器２，３，６は、データを同時に準備し、データ準備フラグがセットされる。トークンが、データを準備した１の比較器９４に到達したとき、データは、マザーボードデータバス１１０に転送され、事象アーカイブ４４に向かうこととなる。データ準備フラグがセットされていない比較器９４に対しては、トークンは、次のクロック周期に通過される。第１のライン１１２は、マザーボードクロックであり、データ転送を調停する。
【図面の簡単な説明】
【図１】
本発明による核撮像デバイスの概略図である。
【図２】
検出器アレイの斜視図である。
【図３】
検出器アレイ、回路ボード及び冷却ファンの斜視図である。
【図４】
第１レベルの調停を実行する回路である。
【図５】
検出器アレイの各ラインに関連する回路ボードの図である。
【図６】
第２レベルの調停を実行するデジタル読み取り式の回路のブロック図である。
【図７】
第２レベルの調停のためのタイミング図である。